(57)【要約】【課題】複雑な加工を施すことなく、簡単な加工を施すだけで芳香剤の種類を容易に消費者に確認させることができるものを提供する。【解決手段】基板２と、基板２の上部に設けられるとともに、周縁部の鍔部９が基板２に接合され、本体部６の内側に基板２によって密閉された収納室１１を形成するカバー５とからなり、収納室１１内に芳香剤容器１５が収納される芳香剤容器用包装体１において、カバー５の鍔部９の一部に他の部分よりも一段低い凹所を設け、この凹所によって収納室１１内外を相互に連通する通気孔１２を形成する。芳香剤容器１５から収納室１１内に漏れ出た芳香剤の香りは通気孔１２を介して収納室１１外に流出し、この流出した香りを嗅ぐことにより芳香剤の種類を確認することができる。【選択図】        図１
2005022668.tif 000002
【特許請求の範囲】
【請求項１】
内部に密閉された収納室が設けられ、該収納室内に芳香剤容器が収納される芳香剤容器用包装体であって、前記収納室内外を連通する少なくとも一つの通気孔を設けたことを特徴とする芳香剤容器用包装体。
【請求項２】
基板と、該基板の上部に設けられるとともに、周縁部が基板に接合されて基板との間で密閉された収納室を形成するカバーとからなり、前記収納室内に芳香剤容器が収納される芳香剤容器用包装体であって、前記収納室内外を連通する少なくとも一つの通気孔を設けたことを特徴とする芳香剤容器用包装体。
【請求項３】
前記基板及び／又は前記カバーは可撓性を有する請求項２に記載の芳香剤容器用包装体。
【請求項４】
前記通気孔を前記カバーに設けた請求項２又は３に記載の芳香剤容器用包装体。
【請求項５】
前記通気孔を前記基板に設けた請求項２又は３に記載の芳香剤容器用包装体。
【請求項６】
前記通気孔を前記カバーと前記基板との間に設けた請求項２又は３に記載の芳香剤容器用包装体。
【請求項７】
前記収納室内に、芳香剤容器内の芳香剤と同一成分の芳香剤のサンプルを設けたことを特徴とする請求項１から６の何れかに記載の芳香剤容器用包装体。
【発明の詳細な説明】
【０００１】
【発明の属する技術分野】
本発明は、芳香剤容器の包装に使用される芳香剤容器用包装体に関し、特に、芳香剤容器内の芳香剤の種類を確認する機能を備えた芳香剤容器用包装体に関するものである。
【０００２】
【従来の技術】
従来、芳香剤容器の包装に使用される芳香剤容器用包装体として、台紙と、台紙の上部に周縁部が接合されて、台紙との間で密閉された収納室を形成する透明体からなるカバーとを備え、収納室内に芳香剤容器を収納するように構成したものが知られている（例えば、非特許文献１参照。）。
【０００３】
このような構成の芳香剤容器用包装体にあっては、芳香剤容器を収納室内に収納した状態で店内の陳列棚の上部に載置し、又は陳列棚のフック等に台紙の孔を引っ掛けることにより、店内の所定の位置に陳列することができ、消費者の目に触れさせることができるものである。
【０００４】
【非特許文献１】
小林製薬株式会社、ホームページ、芳香・消臭剤、「ｏｎｌｉｎｅ」、「平成１５年６月２６日検索」、インターネット＜ＵＲＬ：ｈｔｔｐ：／／ｋｏｂａｙａｓｈｉ．ｃｏ．ｊｐ／ｓｅｉｈｉｎ／ｉｎｄｅｘ．ｈｔｍｌ＞
【０００５】
【発明が解決しようとする課題】
ところで、上記のような構成の芳香剤容器用包装体にあっては、消費者が商品として購入する場合に、芳香剤容器のデザインはカバーを透過して確認することができるが、芳香剤容器内に充填されている芳香剤の種類（香り）を確認することはできないため、カバーの外側に位置する台紙の部分に芳香剤のサンプルを取り付け、この芳香剤のサンプルの臭いを消費者に嗅がせることにより、芳香剤容器内の芳香剤の種類（香り）を確認させている。または、商品とは別に芳香剤容器のサンプルを陳列棚の上部に陳列し、この芳香剤容器のサンプルの臭いを消費者に嗅がせることにより、芳香剤容器内の芳香剤の種類（香り）を確認させている。
【０００６】
しかしながら、芳香剤のサンプルを台紙に取り付ける方法は、芳香剤のサンプルの製造、芳香剤のサンプルの台紙への取り付けに手間がかかるため、製造コストが高く付き、製品の価格が高くなってしまう。また、芳香剤容器のサンプルを用意する方法は、芳香剤容器のサンプルを陳列するスペースが必要となるとともに、陳列作業に手間が掛かり、製品の価格が高くなってしまう。
【０００７】
本発明は、上記のような従来の問題を解決したものであって、簡単な加工を施すだけで芳香剤容器内の芳香剤の種類（香り）を消費者に確認させる機能を付与することができ、これにより製造コストを安く抑えることができて、製品の価格を安く抑えることができる芳香剤容器用包装体を提供することを目的とするものである。
【０００８】
【課題を解決するための手段】
上記のような課題を解決するために、本発明の請求項１に係る芳香剤容器用包装体は、内部に密閉された収納室が設けられ、該収納室内に芳香剤容器が収納される芳香剤容器用包装体であって、前記収納室内外を連通する少なくとも一つの通気孔を設けた手段を採用している。
また、本発明の請求項２に係る芳香剤容器用包装体は、基板と、該基板の上部に設けられるとともに、周縁部が基板に接合されて基板との間で密閉された収納室を形成するカバーとからなり、前記収納室内に芳香剤容器が収納される芳香剤容器用包装体であって、前記収納室内外を連通する少なくとも一つの通気孔を設けた手段を採用している。
さらに、本発明の請求項３に係る芳香剤容器用包装体は、請求項２に記載の芳香剤容器用包装体において、前記基板及び／又は前記カバーは可撓性を有する手段を採用している。
さらに、本発明の請求項４に係る芳香剤容器用包装体は、請求項２又は３に記載の芳香剤容器用包装体において、前記通気孔を前記カバーに設けた手段を採用している。
さらに、本発明の請求項５に係る芳香剤容器用包装体は、請求項２又は３に記載の芳香剤容器用包装体において、前記通気孔を前記基板に設けた手段を採用している。
さらに、本発明の請求項６に係る芳香剤容器用包装体は、請求項２又は３に記載の芳香剤容器用包装体において、前記通気孔を前記カバーと前記基板との間に設けた手段を採用している。
さらに、本発明の請求項７に係る芳香剤容器用包装体は、請求項１から６の何れかに記載の芳香剤容器用包装体において、前記収納室内に、芳香剤容器内の芳香剤と同一成分の芳香剤のサンプルを設けた手段を採用している。
【０００９】
【作用】
本発明は、上記のような手段を採用したことにより、収納室内外が通気孔を介して連通し、この通気孔を介して芳香剤容器から収納室内に漏れ出た芳香剤の香りが収納室外に流出し、この流出した香りを嗅ぐことにより芳香剤の種類を確認することができる。
また、基板とカバーとの間に収納室を形成した場合にも、収納室内外を通気孔を介して連通し、この通気孔を介して芳香剤容器から収納室内に漏れ出た芳香剤の香りが収納室外に流出し、この流出した香りを嗅ぐことにより芳香剤の種類を確認することができる。
さらに、収納室内外は、カバー、基板又はカバーと基板との間の通気孔を介して連通し、この通気孔を介して芳香剤容器から収納室内に漏れ出た芳香剤の香りが収納室外に流出し、この流出した香りを嗅ぐことにより芳香剤の種類を確認することができる。
さらに、芳香剤容器が芳香剤を完全に封入することができるものである場合には、収納室内に芳香剤のサンプルを設け、この芳香剤のサンプルからの香りが通気孔を介して収納室外に流出し、この流出した香りを嗅ぐことにより芳香剤の種類を確認することができる。
さらに、基板及び／又はカバーが可撓性を有する場合には、基板及び／又はカバーを押圧することにより、収納室内の香りが通気孔を介して収納室外に流出し、この流出した香りを嗅ぐことにより芳香剤の種類を確認することができる。
【００１０】
【発明の実施の形態】
以下、図面に示す本発明の実施の形態について説明する。
図１及び図２には、本発明による芳香剤容器用包装体の第１の実施の形態が示されていて、この芳香剤容器用包装体１は、基板２と、基板２の上部に設けられるカバー５とを備えている。
【００１１】
基板２は、紙、合成樹脂等から形成されるシート状をなすものであって、表裏面に商品名、使用方法、使用上の注意等の必要な情報が印刷等によって記載されている。
【００１２】
基板２の形状は特に制限されるものではなく、例えば、長方形、正方形、三角形、円形、半円形、楕円形等（この実施の形態においては長方形）とすることができる。基板２の長手方向の一端部には、表裏面間を貫通する略Ｔ形状の吊下げ用の孔３が貫通した状態で設けられている。吊下げ用の孔３の形状は略Ｔ形状に限らず、円形、半円形、四角形状等とすることができる。
【００１３】
カバー５は、内部を透過可能な透明樹脂又は半透明樹脂を成形材料として、各種のプラスチック成形方法により所定の形状に形成されるものであって、この実施の形態においては、内部に略半球状の凹部７を有する本体部６と、本体部６の開口周縁部に全周に渡って一体に設けられる外方に突出する帯状の鍔部９とからなる略カップ状に形成されている。
【００１４】
カバー５の鍔部９の一部には、他の部分よりも一段低い断面四角形状の凹所１０が全幅に渡って設けられ、この凹所１０を介してカバー５の本体部６の凹部７の内外が相互に連通するようになっている。なお、凹所１０は、断面四角形状に限らず、半円形状、三角形状等としても良い。
【００１５】
カバー５は、基板２の上部に位置した状態で周縁部の鍔部９が基板２側に接着剤等によって一体に接合され、これにより本体部６の凹部７の開口部が基板２によって閉塞され、内部に密閉された収納室１１が形成されるようになっている。
【００１６】
収納室１１内には芳香剤容器１５が収納されるようになっている。芳香剤容器１５としては、特に制限されるものではなく、この実施の形態においては、内部に芳香剤が充填される容器本体１６と、容器本体１６を支持する支持体１７とからなる芳香剤容器１５が収納されている。この場合、容器本体１６は、内部に充填した芳香剤が微かに漏れ出るような素材から形成されている。
【００１７】
カバー５の本体部６の鍔部９の凹所１０によって、収納室１１内外を相互に連通する通気孔１２が形成され、この通気孔１２を介して芳香剤容器１５の容器本体１６から収納室１１内に漏れ出た芳香剤の香りが収納室１１外に流出するようになっている。
【００１８】
そして、上記のように構成した芳香剤容器用包装体１を店内の陳列棚の上部に載置し、又は陳列棚のフック等に基板２の吊下げ用の孔３を引っ掛けることにより店内の所定の位置に陳列することにより、芳香剤容器用包装体１の収納室１１内に収納されている芳香剤容器１５を消費者の目に触れさせることができる。
【００１９】
この場合、芳香剤容器１５のデザインはカバー５が内部を透過可能な素材から形成されていることから、外部から容易に確認することができる。また、芳香剤容器１５の容器本体１６内に充填されている芳香剤の種類（香り）は、容器本体１６から収納室１１内に漏れ出る芳香剤の香りが通気孔１２を介して収納室１１外に流出し、この流出する芳香剤の香りを嗅ぐことにより容易に確認することができる。
【００２０】
従って、カバー５の鍔部９の一部に凹所１０を設ける加工を施すだけで足りるので、基板２に芳香剤のサンプルを取り付けた従来のもののように製造に手間がかかるようなことはなく、製造コストを低減させることができ、安価なものを提供することができる。また、芳香剤容器のサンプルを陳列棚の上部に載置し、そのサンプルの香りを消費者に嗅がせる必要もないので、サンプルの陳列に要するスペースが不要となるとともに、サンプルを陳列する手間も削減することができ、これによっても安価なものを提供することができる。
【００２１】
なお、前記の説明においては、芳香剤容器１５の容器本体１６に芳香剤を微かに漏れ出る材質のものを使用した場合について説明したが、容器本体１６に芳香剤を完全に封入できる材質のものを使用した場合には、収納室１１内に、容器本体１６内の芳香剤と同一成分の芳香剤を染み込ませたフェルト等（図示せず）を設け、このフェルト等からの芳香剤の香りを通気孔１２を介して外部に流出させることにより、容器本体１６内の芳香剤の種類（香り）を間接的に確認することができるものである。また、基板２及び／又はカバー５を可撓性を有するもので構成した場合には、基板２及び／又はカバー５を押圧することにより、収納室１１内の香りが通気孔１２を介して収納室１１外に流出し、この流出した香りを嗅ぐことにより芳香剤の種類を確認することができる。
【００２２】
図３には、本発明による芳香剤容器用包装体の第２の実施の形態が示されていて、この芳香剤容器用包装体１は、カバー５の鍔部９に凹所を設けずに、カバー５の本体部６に収納室１１内外を貫通する孔８を設け、この孔８を通気孔８としたものであって、その他の構成は前記第１の実施の形態に示すものと同様である。
【００２３】
そして、この実施の形態に示す芳香剤容器用包装体１にあっても、前記第１の実施の形態に示すものと同様に、芳香剤容器１５の容器本体１６内に充填されている芳香剤の種類（香り）は、容器本体１６から収納室１１内に漏れ出る芳香剤の香りがカバー５の本体部６の通気孔８を介して収納室１１外に流出し、この流出する芳香剤の香りを嗅ぐことにより容易に確認することができる。
【００２４】
従って、カバー５の本体部６に内外を貫通する孔８を設ける加工を施すだけで足りるので、基板２に芳香剤のサンプルを取り付けた従来のもののように、製造に手間がかかるようなことはなく、製造コストを低減させることができ、安価なものを提供することができる。また、芳香剤容器のサンプルを陳列棚の上部に載置し、そのサンプルの香りを消費者に嗅がせる必要もないので、サンプルの陳列に要するスペースが不要となるとともに、サンプルを陳列する手間も削減することができ、これによっても安価なものを提供することができる。
【００２５】
なお、この実施の形態においても、芳香剤容器１５の容器本体１６に芳香剤を完全に封入できる材質のものを使用した場合には、収納室１１内に、容器本体１６内の芳香剤と同一成分の芳香剤を染み込ませたフェルト等（図示せず）を設け、このフェルト等からの芳香剤の香りを通気孔８を介して外部に流出させることにより、容器本体１６内の芳香剤の種類（香り）を間接的に確認することができるものである。また、基板２及び／又はカバー５を可撓性を有するもので構成した場合には、基板２及び／又はカバー５を押圧することにより、収納室１１内の香りが通気孔８を介して収納室１１外に流出し、この流出した香りを嗅ぐことにより芳香剤の種類を確認することができる。
【００２６】
図４には、本発明による芳香剤容器用包装体の第３の実施の形態が示されていて、この芳香剤容器用包装体１は、カバー５の鍔部９に凹所を設けずに、基板２に収納室１１内外を連通する孔４を設け、この孔４を通気孔４としたものであって、その他の構成は前記第１の実施の形態に示すものと同様である。
【００２７】
そして、この実施の形態に示す芳香剤容器用包装体１にあっても、前記第１の実施の形態に示すものと同様に、芳香剤容器１５の容器本体１６内に充填されている芳香剤の種類（香り）は、容器本体１６から収納室１１内に漏れ出る芳香剤の香りが基板２の通気孔４を介して収納室１１外に流出し、この流出する芳香剤の香りを嗅ぐことにより容易に確認することができる。
【００２８】
従って、基板２の一部に通気孔４を設ける加工を施すだけで足りるので、基板２に芳香剤のサンプルを取り付けた従来のもののように製造に手間がかかるようなことはなく、製造コストを低減させることができ、安価なものを提供することができる。また、芳香剤容器のサンプルを陳列棚の上部に載置し、そのサンプルの香りを消費者に嗅がせる必要もないので、サンプルの陳列に要するスペースが不要となるとともに、サンプルを陳列する手間も削減することができ、これによっても安価なものを提供することができる。
【００２９】
なお、この実施の形態においても、芳香剤容器１５の容器本体１６に芳香剤を完全に封入できる材質のものを使用した場合には、収納室１１内に、容器本体１６内の芳香剤と同一成分の芳香剤を染み込ませたフェルト等（図示せず）を設け、このフェルト等からの芳香剤の香りを通気孔４を介して外部に流出させることにより、容器本体１６内の芳香剤の種類（香り）を間接的に確認することができるものである。また、基板２及び／又はカバー５を可撓性を有するもので構成した場合には、基板２及び／又はカバー５を押圧することにより、収納室１１内の香りが通気孔４を介して収納室１１外に流出し、この流出した香りを嗅ぐことにより芳香剤の種類を確認することができる。
【００３０】
【発明の効果】
本発明は、前記のように構成して、収納室内外を連通する通気孔を設けたことにより、芳香剤容器から収納室内に漏れ出た芳香剤の香りは通気孔を介して収納室外に流出し、周囲に芳香剤の香りが微かに漂うことになる。
従って、消費者は、通気孔から流出する香りを嗅ぐことにより、芳香剤容器内の芳香剤の種類（香り）を確認することができることになる。この結果、基板に芳香剤のサンプルを取り付ける必要はなく、簡単な加工を施すだけで足りるので、製造コストを低減させることができ、安価なものを提供することができる。また、芳香剤容器のサンプルを陳列する必要もないので、陳列に要する手間を削減することもでき、これによっても製品の価格を安く抑えることができる。
また、通気孔は、カバー、基板又はカバーと基板との間に設けられているので、通気孔を設ける加工が容易となり、これにより製造コストを安く抑えることができるので、安価なものを提供することができる。
さらに、芳香剤容器に芳香剤を完全に封入できる材質のものを使用した場合には、収納室内に芳香剤を染み込ませたフェルト等を設けておくことにより、通気孔を介して芳香剤容器内の芳香剤の種類（香り）を間接的に確認することができるので、これによっても安価なものを提供することができる。
さらに、基板及び／又はカバーを可撓性を有するもので構成した場合には、基板及び／又はカバーを押圧することにより、収納室内の香りが通気孔を介して収納室外に流出し、この流出した香りを嗅ぐことにより芳香剤の種類を確認することができる。
【図面の簡単な説明】
【図１】本発明による芳香剤容器用包装体の第１の実施の形態を示した斜視図である。
【図２】図１の芳香剤容器用包装体のカバーを示した斜視図である。
【図３】本発明による芳香剤容器用包装体の第２の実施の形態を示した斜視図である。
【図４】本発明による芳香剤容器用包装体の第３の実施の形態を示した斜視図である。
【符号の説明】
１……芳香剤容器用包装体
２……基板
３……吊下げ用の孔
４……孔（通気孔）
５……カバー
６……本体部
７……凹部
８……孔（通気孔）
９……鍔部
１０……凹所
１１……収納室
１２……通気孔
１５……芳香剤容器
１６……容器本体
１７……支持体
【図１】
2005022668.tif 000003
【図２】
2005022668.tif 000004
【図３】
2005022668.tif 000005
【図４】
2005022668.tif 000006